(57)【要約】  【課題】処理効率を落とすことなく、傷補正等の画像処理にも影響を生じない適正な画像読取が可能であり、かつ、より小型化された画像読取装置を提供すること。  【解決手段】拡散手段と、透過原稿を読取位置に搬送、停止させる搬送手段と、透過原稿の位置を検出する検出手段とを有し、本体の所定位置に装着されるアダプタと、画像読取用の光と不適正画素検出用の光とを切り替えて射出する光源と、画像情報を読み取る撮像手段と、画像読取用の光および不適正画素検出用、または不適正画素検出用の光のみシェーディング補正データを設定または更新する制御手段と、シェーディング補正データに基づいて、光源から射出される光のシェーディングの補正および／または撮像手段により読み取った画像情報のシェーディングの補正を行うシェーディング補正手段とを有する本体と有することにより上記課題を解決する。【選択図】図１
2006246199.tif 000002
【特許請求の範囲】
【請求項１】
透過原稿を画像読取位置にセットするアダプタと、
前記アダプタが所定位置に装着され、前記アダプタの前記画像読取位置にセットされた前記透過原稿に光を照射し、前記透過原稿を透過した光を読み取り、前記透過原稿の画像情報を読み取る画像読取装置本体とを備える画像読取装置であって、
前記アダプタは、前記透過原稿を搬送し、前記透過原稿を画像読取位置に停止させる搬送手段と、前記透過原稿の位置を検出する検出手段と、前記透過原稿に対向して配置され、前記透過原稿に照射される光を拡散する拡散手段とを有し、
前記画像読取装置本体は、可視光領域が中心波長となる画像読取用の異なる３波長の光と非可視光領域が中心波長となる不適正画素検出用の１波長の光とを含む少なくとも４波長の光を切り替えて射出し、前記透過原稿に照射する光源と、前記透過原稿を透過した光が担持する画像情報を読み取る撮像手段と、前記アダプタが前記画像読取装置本体に装着され、かつ前記透過原稿が前記画像読取位置にセットされていない状態で、前記画像読取用の光および前記不適正画素検出用の光を切り替えて前記光源から射出させ、または前記不適正画素検出用の光のみを前記光源から射出させ、射出された各光のシェーディングデータを前記撮像手段で読み取り、読み取った各光のシェーディングデータに基づいて、シェーディング補正データを設定または更新する制御手段と、設定または更新された前記シェーディング補正データに基づいて、前記光源から射出される光のシェーディングの補正、および前記撮像手段により読み取った画像情報のシェーディングの補正の少なくとも一方を行うシェーディング補正手段とを有する画像読取装置。
【請求項２】
前記画像読取用の異なる３波長の光は、中心波長がそれぞれ赤、緑、青の波長域に属し、前記不適正画素検出用の１波長の光は、中心波長が赤外の波長域に属する請求項１に記載の画像読取装置。
【請求項３】
前記本体は、さらに、前記シェーディング補正データの設定または更新を行う処理特性条件を記憶する記憶手段を有し、
前記制御手段は、前記処理特性条件に応じて、前記シェーディング補正データの設定または更新を行う請求項１または２に記載の画像読取装置。
【請求項４】
前記処理特性条件は、前記本体に電源を投入してからの前記アダプタの装着回数であり、
前記制御手段は、前記本体に電源を投入してから１回目の前記アダプタの装着時には、前記画像読取用光および前記不適正画素検出用の光を切り替えて射出させ、射出された各光のシェーディングデータを前記画像手段により読み取り、読み取ったシェーディングデータに基づいて前記シェーディング補正データを設定し、前記本体に電源を投入してから２回目以降の前記アダプタの装着時には、前記不適正画素検出用の光のみのシェーディングデータを前記画像手段により読み取り、読み取ったシェーディングデータに基づいて前記シェーディング補正データを更新する請求項３に記載の画像読取装置。
【請求項５】
前記処理特性条件は、前記本体に前記アダプタを装着してからの前記アダプタでの透過原稿の処理本数および前記アダプタでの透過原稿の読取コマ数の少なくとも一方であり、
前記制御手段は、前記アダプタを装着してからの前記アダプタでの透過原稿の透過原稿処理本数および前記アダプタでの透過原稿の読取コマ数の少なくとも一方が所定値に達したとき、前記不適正画素検出用の光のみのシェーディングデータを前記撮像手段により読み取り、読み取ったシェーディングデータに基づいて前記シェーディング補正データを更新する請求項３または４に記載の画像読取装置。
【請求項６】
前記処理特性条件は、前記本体に前記アダプタを装着してからの経過時間であり、
前記制御手段は、前記本体に前記アダプタを装着してからの経過時間が所定値に達したとき、前記不適正画素検出用の光のみのシェーディングデータを前記撮像手段により読み取り、読み取ったシェーディングデータに基づいて前記シェーディング補正データを更新する請求項３〜５のいずれかに記載の画像読取装置。
【請求項７】
前記処理特性条件は、前記透過原稿の先頭が検出されることであり、
前記制御手段は、前記透過原稿の先頭が検出したら、前記不適正画素検出用の光のみのシェーディングデータを前記撮像手段により読み取り、読み取ったシェーディングデータに基づいて前記シェーディング補正データを更新する請求項３〜６のいずれかに記載の画像読取装置。
【請求項８】
前記アダプタは、透過原稿の種類に応じて複数備えられ、
前記記憶手段は、複数のアダプタの種類に応じた前記処理特性条件を有する請求項３〜７のいずれかに記載の画像読取装置。
【請求項９】
前記光源は、前記画像読取用の光および前記不適正画素検出用の光を発光する複数の発光ダイオード素子で構成される請求項１〜８のいずれかに記載の画像読取装置。
【発明の詳細な説明】
【技術分野】
【０００１】
本発明は、透過原稿がセットされるアダプタを本体に装着し、アダプタにセットされた透過原稿を透過した光を検出し透過原稿の画像情報を読み取る画像読取装置に関する。
【背景技術】
【０００２】
近年、ネガフィルム、リバーサルフィルム等の写真フィルムに撮影された画像の読取としては、写真フィルムを光電的に読み取って、読み取った画像をデジタル信号とした後、種々の画像データとし、この画像データに応じて変調した記録光によって感光材料を露光してプリントして出力し、また、画像データを画像ファイルとしてＣＤ−ＲやＨＤ（ハードディスク）等の記録媒体に出力することが行われている。
このようなデジタルの処理によれば、写真フィルムに撮影された画像を読み取って、デジタルの画像データとして画像処理を行うので、非常に好適に色や濃度を補正できるばかりか、階調補正やシャープネス処理（鮮鋭度補正）等、通常の直接露光のプリンタでは基本的に不可能な画像処理を行って、高画質な画像を得ることができる。
【０００３】
ところで、例えばラインセンサ、エリアセンサ等のＣＣＤを用いて原稿の画像を読み取る画像読取装置においては、ＣＣＤで所定の同一記録濃度の基準画像を読み取った時、光源から射出される光のむら等により、ＣＣＤの各読取画素で読み取った画像データの値がばらつくという露光むら、すなわち、シェーディングが発生するという問題点がある。従って、このようなＣＣＤの露光むらを防止するためにはシェーディング補正を行う必要がある。
【０００４】
シェーディング補正を行う画像読取装置としては、例えば、特許文献１に、透過原稿から画像を読み取る画像読み取り手段を有する画像読み取り装置において、画像読み取り手段による読み取り画像に対してシェーディングデータによりシェーディング補正を行う補正手段と、所定の時期からの経過時間を計測する経過時間計測手段と、経過時間計測手段により所定の時間を計測したときに、この所定の時間の経過後に読み取った画像近傍における一つあるいは複数の未露光部のデータを基に、読み取り画像に対して再度シェーディング補正を行う再補正手段とを備えたことを特徴とする画像読み取り装置が開示されている。
特許文献１では、所定時間経過毎に未露光部のデータを基にして、シェーディング補正を行うことで、時間経過に伴うシェーディングの変化に起因した画質劣化を短時間で補正することができ、良好な画像を得ることができるとされている。
【０００５】
特許文献１には、さらに、赤外光を発光とする発光手段を有し、可視光源のみの照射による画像と赤外光源のみの照射による画像を任意に得ることが可能となり、赤外光源のみの照射により得た画像により、フィルム上に付着したゴミや傷などを検知することができる画像読取装置も開示されている。
【０００６】
また、特許文献２には、光源（ハロゲンランプ）とフィルムキャリアとの間に配置された拡散ボックスを有する画像読取装置が開示されている。この拡散ボックスに入射した光は、側面によって副走査方向に集光されて写真フィルムの読取部位に入射されると共に、読取部位に沿って主走査方向に拡散される。この結果、読取部位に照射される光量が増大し、高品質な画像データを得ることができると開示されている。また、拡散板の配置位置について、拡散ボックスの入射側に配設したが、射出側に配設してもよく、フィルムキャリアの下側に配設してもよいと開示されている。
【０００７】
【特許文献１】特開２００３−１５２９９６号公報
【特許文献２】特開２０００−２２４４７４号公報
【発明の開示】
【発明が解決しようとする課題】
【０００８】
ここで、特許文献２に開示された画像読取装置のように、透過光を原稿の画像面にほぼ一様に照射させるための拡散板をフィルムキャリア（アダプタ）に取り付けると、画像読取装置をより小型化、特に光源と原稿搬送部との間をコンパクトにすることができる。
しかしながら、拡散板をフィルムキャリアに配置する場合は、拡散板の位置ずれによってシェーディングの補正、特に、フィルム傷補正を目的とした赤外光（非可視光）のシェーディングの補正が影響を受けてしまう。すなわち、画像読取装置の起動時にシェーディング補正データを取得しても、フィルムキャリアを抜き差しすると、設定されたシェーディング補正データと実際のシェーディングとの間にずれが生じてしまう。特に、赤外光のシェーディング補正データと実際のシェーディングとがずれると、フィルム傷の位置を誤検出し、フィルム傷のない部分に対して傷補正処理を行ってしまう等の不具合が生じる。このような不具合は、画像読取装置本体に対するフィルムキャリアの取り付け精度を高くすることで防止することができるが、フィルムキャリアは、フィルムの種類や必要に応じて交換する必要があり、常に高い取り付け精度でフィルムキャリアを装着することは難しい。
また、連続して大量の画像読取処理を行うと、フィルム上のゴミが、フィルムキャリア内の画像検出部のガラス、例えば拡散板に残り、誤った傷補正を行う可能性もある。
【０００９】
一方、特許文献１の画像読取装置では、時間経過に伴うシェーディングの変化に起因した画質劣化を補正することができるが、所定時間が経過する度に全ての波長の光のシェーディング（補正）データを取得していては、シェーディングデータの取得に時間がかかり、画像読取の処理効率が低くなるという問題がある。
【００１０】
本発明は、上記従来技術の課題を解決し、処理効率を落とすことなく、傷補正等の画像処理にも影響を生じない高画質な画像読取が可能であり、かつ、より小型化された画像読取装置を提供することを目的とする。
【課題を解決するための手段】
【００１１】
上記課題を解決するために、本発明は、透過原稿を画像読取位置にセットするアダプタと、前記アダプタが所定位置に装着され、前記アダプタの前記画像読取位置にセットされた前記透過原稿に光を照射し、前記透過原稿を透過した光を読み取り、前記透過原稿の画像情報を読み取る画像読取装置本体とを備える画像読取装置であって、前記アダプタは、前記透過原稿を搬送し、前記透過原稿を画像読取位置に停止させる搬送手段と、前記透過原稿の位置を検出する検出手段と、前記透過原稿に対向して配置され、前記透過原稿に照射される光を拡散する拡散手段とを有し、前記画像読取装置本体は、可視光領域の波長が中心波長となる画像読取用の異なる３波長の光と非可視光領域の波長が中心波長となる不適正画素検出用の１波長の光とを含む少なくとも４波長の光を切り替えて射出し、前記透過原稿に照射する光源と、前記透過原稿を透過した光が担持する画像情報を読み取る撮像手段と、前記アダプタが前記画像読取装置本体に装着され、かつ前記透過原稿が前記画像読取位置にセットされていない状態で、前記画像読取用の光および前記不適正画素検出用の光を切り替えて前記光源から射出させ、または前記不適正画素検出用の光のみを前記光源から射出させ、射出された各光のシェーディングデータを前記撮像手段で読み取り、読み取った各光のシェーディングデータに基づいて、前記シェーディング補正データを設定または更新する制御手段と、設定または更新された前記シェーディング補正データに基づいて、前記光源から射出される光のシェーディングの補正、および前記撮像手段により読み取った画像情報のシェーディングの補正の少なくとも一方を行うシェーディング補正手段とを有する画像読取装置を提供する。
【００１２】
ここで、前記画像読取用の光の３波長は、中心波長がそれぞれ赤、緑、青の波長域に属し、前記不適正画素検出用の光の１波長は、中心波長が赤外の波長域に属することが好ましい。
【００１３】
また、前記本体は、さらに、前記シェーディング補正データの設定または更新を行う処理特性条件を記憶する記憶手段を有し、前記制御手段は、前記処理特性条件に応じて、前記シェーディング補正データの設定または更新を行うことが好ましい。
ここで、前記処理特性条件は、前記本体に電源を投入してからの前記アダプタの装着回数であり、前記制御手段は、前記本体に電源を投入してから１回目の前記アダプタの装着時には、前記画像読取用光および前記不適正画素検出用の光を切り替えて射出させ、射出された各光のシェーディングデータを前記画像手段により読み取り、読み取ったシェーディングデータに基づいて前記シェーディング補正データを設定し、前記本体に電源を投入してから２回目以降の前記アダプタの装着時には、前記不適正画素検出用の光のみのシェーディングデータを前記画像手段により読み取り、読み取ったシェーディングデータに基づいて前記シェーディング補正データを更新することが好ましい。
【００１４】
また、前記処理特性条件は、前記本体に前記アダプタを装着してからの前記アダプタでの透過原稿の処理本数および前記アダプタでの透過原稿の読取コマ数の少なくとも一方であり、前記制御手段は、前記アダプタを装着してからの前記アダプタでの透過原稿の透過原稿処理本数および前記アダプタでの透過原稿の読取コマ数の少なくとも一方が所定値に達したとき、前記不適正画素検出用の光のみのシェーディングデータを前記撮像手段により読み取り、読み取ったシェーディングデータに基づいて前記シェーディング補正データを更新することが好ましい。
【００１５】
さらに、前記処理特性条件は、前記本体に前記アダプタを装着してからの経過時間であり、前記制御手段は、前記本体に前記アダプタを装着してからの経過時間が所定値に達したとき、前記不適正画素検出用の光のみのシェーディングデータを前記撮像手段により読み取り、読み取ったシェーディングデータに基づいて前記シェーディング補正データを更新することが好ましい。
さらに、前記処理特性条件は、前記透過原稿の先頭が検出されることであり、前記制御手段は、前記透過原稿の先頭が検出したら、前記不適正画素検出用の光のみのシェーディングデータを前記撮像手段により読み取り、読み取ったシェーディングデータに基づいて前記シェーディング補正データを更新することが好ましい。
【００１６】
また、前記アダプタは、透過原稿の種類に応じて複数備えられ、前記記憶手段は、複数のアダプタの種類に応じた前記処理特性条件を有することが好ましい。
また、前記光源は、前記画像読取用の光および前記不適正画素検出用の光を発光する複数の発光ダイオード素子で構成されることが好ましい。
【発明の効果】
【００１７】
本発明によれば、画像読取用の光および不適正画素検出用の光の各光のシェーディング補正データ、または、前記不適正画素検出用の光のみのシェーディング補正データを選択して設定または更新することで、シェーディング補正データの設定または更新に係る時間を短縮することができ、処理効率を高く保持することができる。さらに、読み取った画像情報の傷補正処理に用いる不適正画素検出用の光のシェーディング補正データを、毎回設定または更新することにより、不適正画素検出用の画像情報のシェーディングを適正に補正することができ、または、シェーディングのない不適正画素検出用の画像情報を得ることができる。これにより、誤った傷補正処理を防止でき、好適な傷補正処理がなされた高画質な画像を出力することができる。また、拡散手段をアダプタに設けることで、装置をより小型化することができる。
【００１８】
また、アダプタを本体に装着するたびに、不適正画素検出用の光のシェーディング補正データを設定または更新することで、アダプタの着脱による不適正画素検出用の光のシェーディングのずれを補正することができ、より適正な画像情報を得ることができる。これにより、アダプタの着脱による不適正画素検出用の光のシェーディングのずれによる誤った傷補正を防止でき、より正確な傷補正処理を行うことができる。
【００１９】
また、透過原稿の処理本数、読取コマ数に応じて、不適正画素検出用の光のみのシェーディング補正データを更新することにより、透過原稿により持ち込まれるゴミ埃によるシェーディングの変化を補正することができ、より適正な画像情報を得ることができる。これにより、透過原稿により持ち込まれるゴミ埃により誤った傷補正処理を行うことをより確実に防止することができる。
また、前記本体に前記アダプタを装着してからの経過時間に応じて、不適正画素検出用の光のみのシェーディング補正データを更新することにより、時間経過に伴い変化する光源の出力変化のシェーディングの変化を補正することができ、より適正な画像情報を得ることができる。これにより、時間経過に伴い変化する光源の出力変化の影響による誤った傷補正処理を行うことをより確実に防止することができる。
また、透過原稿の先頭を検出したら、不適正画素検出用の光のみのシェーディング補正データを更新することにより、透過原稿により持ち込まれるゴミ埃によるシェーディングの変化を補正することができ、より適正な画像情報を得ることができる。これにより、透過原稿により持ち込まれるゴミ埃により誤った傷補正処理を行うことをより確実に防止することができる。
【発明を実施するための最良の形態】
【００２０】
以下、本発明の画像読取装置について、添付の図面に示される好適実施例を基に詳細に説明する。
【００２１】
図１に、本発明の画像読取装置を利用するデジタルフォトプリントシステムの一例のブロック図を示す。
図１に示すデジタルフォトプリントシステム１０（以下、プリントシステム１０とする）は、フィルムＦに撮影された画像を光電的に読み取り、（写真）プリントとして出力するもので、基本的に、画像読取装置１２と、ホストコンピュータ１４と、プリンタ１６ととを有する。
【００２２】
画像読取装置１２は、フィルムＦに撮影された画像を画像情報（画像データ）として、光電的に読み取る装置で、基本的に、フィルムＦを画像読取位置Ａにセットするフィルムアダプタ２０と、フィルムＦに撮影された画像を光電的に読み取る画像読取装置本体２２（以下、本体２２とする）とで構成される。
【００２３】
フィルムアダプタ２０は、フィルムＦを断続的に搬送して、フィルムＦに撮影された各画像（各コマ）を、順次、所定の画像読取位置Ａに搬送／保持するものであり、搬送手段３０と，拡散板３２と，フィルム検出手段３４と，コネクタ３６とを有する。また、フィルムアダプタ２０は、フィルムサイズ等に応じた複数種が用意され、本体２２に着脱自在に構成され、本体２２の所定位置に装着される。
【００２４】
搬送手段３０は、画像読取位置Ａを挟んで配置される、フィルムＦを長手方向に搬送する複数の搬送ローラ対３８と、搬送ローラ対３８を回転させるモータ４０と、モータ４０の駆動を制御するドライバ４２とを有し、ドライバ４２による作用の下、モータ４０により搬送ローラ対３８を回転させ、フィルムＦを搬送させる。また、搬送ローラ対３８により画像読取位置ＡのフィルムＦを所定張力が作用した状態で保持することで、画像読取位置ＡのフィルムＦのずれを防止できる。
拡散板３２は、画像読取位置Ａのフィルムと後述する本体２２の光源５０との間に配置され、光源５０から射出され、フィルムＦに入射する光を、フィルム面方向で均一にするものである。
フィルム検出手段３４は、例えば、コマエッジ検出センサ等であり、フィルムアダプタ２０にフィルムＦがセット（挿入）されているか否かの検出し、さらに、フィルムアダプタ２０の搬送路上でのフィルムＦのコマ位置を検出するものである。
コネクタ３６は、本体２２と電気的に接続され、本体２２から供給された電力をドライバ４２に供給する。また、コネクタ３６を介して、本体２２の制御手段５４と、フィルム検出手段３４およびドライバ４２との間で制御情報が送受信される。
【００２５】
本体２２は、フィルムＦに撮影された画像を画像データ（画像情報）として読み取るものであり、光源部５０と，撮像手段５２と，制御手段５４と，インターフェース５６とを有する。
【００２６】
図２は、光源部５０周辺を拡大して示した模式図である。
光源部５０は、ＬＥＤ(Light  Emitting  Diode)を利用するもので、Ｒ（赤）光、Ｇ（緑）光およびＢ（青）光の各可視光、つまり、中心波長がそれぞれ赤、緑、青の波長域に属する可視光領域の光を射出する３種のＬＥＤと、非可視光であるＩＲ（赤外）光、つまり中心波長が赤外の波長域に属する非可視領域の光を射出するＬＥＤとがそれぞれ複数、アレイ状に配列されて構成される。このような光源部５０は、ＬＥＤ制御部５８によって駆動され、各可視光および非可視光が、順次、本体２２の所定位置に装着されたフィルムアダプタ２０の画像読取位置Ａに向けて射出される。
ここで、光源としてＬＥＤつまり発光ダイオードを用いることで、例えば、ハロゲンランプ等を用いる場合と比較して光源を小型化できると共に、可視光あるいは非可視光のみを透過させるフィルタ等が不要となり、装置構成を簡単にすることができ、コストを低減させることができる。また、ＬＥＤは、発熱量が小さいため、画像読取に与える影響がない。
【００２７】
図１に戻って、本体２２の説明を続ける。
撮像手段５２は、基本的に結像レンズ６０と、シャッタ６２と、撮像素子６４と、撮像素子駆動部６６と、移動手段６８と、アンプ７０と、ＡＤＣ７２と、ＣＤＳ処理部７４とを有する。
結像レンズ６０は、光源部５０から射出され、フィルムＦを透過した光を撮像素子６４の所定位置に結像するものである。また、結像レンズ６０には、結像レンズ６０の焦点距離を調節するモータ７６およびモータ７６の駆動を制御するドライバ７８が接続されている。これにより、フィルムアダプタ２０が交換され焦点距離が変化した場合等、必要に応じて、結像レンズ６０を移動、または、変形させ、結像レンズ６０の焦点距離を調節することができる。
【００２８】
シャッタ６２は、必要に応じてフィルムＦを透過した光を遮断し、後述する撮像素子６４に光を入射させるか否かを制御するものであり、シャッタ６２の開閉させるモータ８０と、モータ８０の駆動を制御するドライバ８２が接続されている。
【００２９】
撮像素子６４は、エリアＣＣＤセンサを用いて、フィルムＦに撮影された画像を光電的に読み取るもので、フィルムアダプタ２０の画像読取位置Ａの１コマの全面を読み取る（面露光による画像読取）。ここで撮像素子６４は、撮像素子駆動部６６に接続され、撮像素子駆動部６６により、読み取り密度、読み取りタイミング等が制御される。
ここで、本実施形態では、撮像素子６４を微小距離移動させる圧電素子等の移動手段６８が設けられている。移動手段６８により撮像素子６４を微小距離移動させて同一画像を複数回読み取る、いわゆる画素ずらしを行うことでより画像をより高密度に読み取ることができる。移動手段６８には移動手段６８を制御するドライバ８４が接続されている。
【００３０】
撮像素子６４で読み取られた出力信号は、アンプ３６で増幅され、ＡＤＣ７２（Ａ／Ｄ変換器７２）により、デジタルの画像データ変換され、ＣＤＳ（Correlated  Double  Sampling）処理部７４により、画像信号に含まれるノイズで支配的であるリセットノイズを除去され、制御手段５４に出力される。
【００３１】
ここで、撮像手段５２よるフィルムＦの画像読取は、以下のようにして行われる。
まず、フィルムアダプタ２０のフィルム位置検出手段３４により、フィルム位置およびフィルムのコマ位置を検出しつつ、搬送手段３０により、フィルムＦを搬送し、読み取りを行うコマ（通常は、１コマ目か最終コマ）を読取位置に搬送する。
次いで、ＬＥＤ制御部５８による作用の下、例えば、光源部２４のＲのＬＥＤを駆動して、Ｒ光を出射する。Ｒ光は、拡散板３２によってフィルムＦの面方向で光量を均一にされた後、画像読取位置Ａに入射して、ここに保持されるコマに入射、透過して、このコマに撮影された画像を担持する投影光となる。この投影光は、結像レンズ６０によって撮像素子６４の所定位置（エリアＣＣＤセンサの受光面）に結像され、このコマのＲ画像が光電的に読み取られる。
【００３２】
同様にして、光源部５０のＧおよびＢのＬＥＤを、順次、発光して、このコマのＧ画像およびＢ画像の読み取りを行い、最後に、光源部５０のＩＲのＬＥＤを発光して、ＩＲによる読み取り（ＩＲ画像の読み取り）を行って、このコマの読み取りを終了する。従って、スキャナ１２からは、Ｒ、ＧおよびＢの各可視像と、ＩＲ画像（非可視像）との、４チャネルの画像信号が出力される。
１コマの読み取りを終了したら、フィルムアダプタ２０は、フィルムＦを搬送して、次に読み取りを行うコマを読取位置に搬送する。
【００３３】
撮像素子６４からの出力信号は、アンプ７０で増幅され、ＡＤＣ７２によってデジタルの画像データに変換され、ＣＤＳ処理部７４によりノイズ除去された後、画像処理部８６に出力される。
【００３４】
ここで、プリントシステム１０においては、通常、１コマにつき、プリント等の出力のために高解像度で画像を読み取るファインスキャンと、ファインスキャンの読取条件や画像処理部８６およびホストコンピュータ１４における画像処理条件を決定するために、ファインスキャンに先立って行われる、低解像度での画像読取であるプレスキャンとの、２回の画像読取が行われる。
この際において、通常、プレスキャンとファインスキャンの出力信号は、解像度と出力レベルが異なる以外は、基本的に同じデータである。
【００３５】
制御手段５４は、フィルムアダプタ２０のコネクタ３６、ＬＥＤ制御部５８、撮像手段５２の撮像素子駆動部６６、ＣＤＳ処理部７４、ドライバ７８，８２，８４と接続され、上記の各部に電力を供給するとともに、上記の各部を制御するものであり、画像処理部８６と制御部９０と記憶部８８とを有する。
【００３６】
画像処理部８６は、ＣＤＳ処理部７４から送信されたＲ，Ｇ，Ｂ，ＩＲの画像データに、後述する記憶部８８に記憶された条件に基づいて、ＤＣオフセット補正、暗示補正、シェーディング補正等の所定の補正を行う部分である。
画像処理部８６は、ＣＤＳ処理部７４から送信されたＲ，Ｇ，Ｂ，ＩＲの画像データに所定の補正を施し、インターフェース５６を介して接続されるホストコンピュータ１４に出力する。
【００３７】
記憶部８８は、画像処理部８６で行う各種補正の補正条件が記憶される部分であり、ＤＣオフセット補正条件のデータ、暗示補正条件のデータ、シェーディング補正条件のデータ（以下、シェーディング補正データとする）等が記憶される。さらに、記憶部８８には、後述するシェーディング補正データの設定または更新を行う条件（以下、処理特性条件とする）も記憶されている。ここで、シェーディング補正データとしては、例えば、ＬＵＴ等を用いることができる。
【００３８】
制御部９０は、アダプタ２０および画像読取装置本体２２の各部、つまり、フィルムアダプタ２０のコネクタ３６、ＬＥＤ制御部５８、撮像手段５２の撮像素子駆動部６６、ドライバ７８，８２，８４、画像処理部８６、記憶部８８等と接続され、アダプタ２０および画像読取装置本体２２の各部を制御するものである。
【００３９】
ここで、本発明の制御部９０は、記憶部８８に記憶された処理特性条件に応じて、可視光（Ｒ，Ｇ，Ｂ）の画像データを補正するための３種のシェーディング補正データおよび非可視光（ＩＲ）の画像データを補正するためのシェーディング補正データ、つまり４つのシェーディング補正データの設定または更新、もしくは、非可視光（ＩＲ）の画像データを補正するためのシェーディング補正データ、つまり１つのシェーディング補正データのみの設定または更新を行う。
【００４０】
ここで、シェーディング補正データの算出は、例えば以下のようにして算出される。
まず、フィルムアダプタ２０が本体２２装着され、かつ画像読取位置ＡにフィルムＦがセットされていない状態とする。
次いで、ＬＥＤ制御部５８による作用の下、例えば、光源部５０のＲのＬＥＤを駆動して、Ｒ光を出射する。Ｒ光は、拡散板３２によってフィルムＦの面方向で光量を均一にされた後、画像読取位置Ａに入射する。フィルムＦが配置されていない画像読取位置Ａを通過した光は、結像レンズ６０によって撮像素子６４の所定位置（エリアＣＣＤセンサの受光面）に結像され、フィルムＦを透過していないＲ画像が光電的に読み取られる。
【００４１】
同様にして、光源部５０のＧ，ＢおよびＩＲのＬＥＤを、順次、発光して、フィルムＦを透過していないＧ画像，Ｂ画像およびＩＲ画像の読み取りを行う。撮像素子６４によって読み取られた画像信号は、アンプ７０により増幅され、ＡＤＣ７２によりデジタルの画像信号に変換され、ＣＤＳ処理部７４によりノイズ除去された後、画像処理部８６に出力される。このようにして、ＣＤＳ処理部７４から出力されるフィルムＦを透過していないＲ，Ｇ，Ｂ，ＩＲの各画像データは、Ｒ，Ｇ，ＢおよびＩＲの各光のシェーディングデータとなる。
制御部９０は、画像処理部８６に出力されたシェーディングデータに基づいて、フィルムＦのコマ画像を読み取ったＲ，Ｇ，Ｂ，ＩＲの各画像データが有するシェーディングを補正するためのシェーディング補正データ、つまりＲ，Ｇ，ＢおよびＩＲの各画像データをシェーディングがキャンセルされた画像データとするための画像処理条件を算出する。
【００４２】
ここで、上記例は、Ｒ，Ｇ，ＢおよびＩＲの４種類の光についてのシェーディング補正データを算出する場合として説明したが、ＩＲのシェーディング補正データのみを算出する場合は、撮像素子６４によりフィルムＦを透過していないＩＲ画像のみを読み取り、所定処理を施し、画像処理部８６にＩＲのシェーディングデータを出力させ、出力されたシェーディングデータに基づいて、ＩＲのシェーディング補正データを算出する。
このようにして算出したシェーディング補正データを、記憶部８８に記憶させ、シェーディング補正データとして設定する。または、記憶部８８に記憶されているシェーディング補正データを、新たに算出したシェーディング補正データに書き換える。つまり、シェーディング補正データを更新する。
【００４３】
本発明では、処理特性条件に応じて、４つ（Ｒ，Ｇ，Ｂ，ＩＲ）のシェーディング補正データの設定または更新と、１つ（ＩＲ）のシェーディング補正データの設定または更新のみとを選択して行うことで、つまり、シェーディング補正データの設定または更新のたびに、毎回４つ（Ｒ，Ｇ，Ｂ，ＩＲ）のシェーディング補正データの設定または更新を行わないことで、シェーディング補正データの設定または更新に係る時間を短縮することができる。
また、シェーディング補正データの設定または更新のたびに、毎回ＩＲのシェーディング補正データの設定または更新を行うことで、ＩＲの画像データのシェーディングを正確に補正することができる。結果として、正確なＩＲの画像データを用いて画像データの傷補正処理等を行うことできる。これにより、誤った傷補正処理により、画像がいびつになる、ゆがんでしまう、または変容してしまうこと等を防止できる。
以上より、本発明によれば、処理能力が高い状態を維持しつつ、傷補正処理を正確に行うことができる画像データ、つまり読み取る画像データ（ホストコンピュータ１４に出力する画像データ）を高画質な画像データとすることができる。
【００４４】
ここで、本実施形態では、画像読取装置の小型化および、清掃が容易になるという効果を有する点から、拡散板をフィルムアダプタ側に配置している。このため、フィルムアダプタの着脱によりシェーディングが変化しやすいが、処理特性条件に応じて、シェーディング補正データを更新することで、適正なシェーディング補正を行うことができる。また、拡散板をフィルムアダプタ側に配置することで、フィルムアダプタを取り外した際に拡散板を容易に清掃することができる。
【００４５】
また、光源としてＬＥＤを用いると、装置をより小型化することができる等上述の各種効果を有する反面、光源にハロゲンランプ等を用いる場合に比べて、シェーディングがずれ易くなるが、処理特性条件に応じて、シェーディング補正データを更新することで、シェーディングのずれを補正することができ、適正なシェーディング補正を行うことができる。
【００４６】
ここで、処理特性条件としては、例えば、フィルムアダプタ２０の本体２２への装着回数、本体２２にフィルムアダプタ２０を装着してからのフィルムＦの処理本数または読取コマ数、本体２２にフィルムアダプタ２０を装着してからの経過時間、フィルムＦの先頭を検出すること等が挙げられる。
【００４７】
例えば、最初（１回目）にフィルムアダプタ２０を本体２２に装着する時は、４つ（Ｒ，Ｇ，Ｂ，ＩＲ）のシェーディング補正データの設定し、２回目以降は、フィルムアダプタ２０を本体２２に装着する時は、ＩＲのシェーディング補正データのみを更新するようにしてもよい。
このように、フィルムアダプタ２０を本体２２に装着するたびに、ＩＲのシェーディング補正データのみを更新することで、フィルムアダプタ２０と本体２２とで位置ずれが発生した場合も、更新されたシェーディング補正データでＩＲの画像データのシェーディング補正を行うことができ、これにより、正確な傷補正処理を行うことができる。
また、フィルムアダプタ２０を２回目以降に装着した場合は、ＩＲのシェーディング補正データのみの更新を行うことで、フィルムアダプタ２０を本体２２に装着してからフィルム処理（フィルムの画像読み取り）を開始するまでの時間を短縮することができる。これにより、フィルムアダプタの着脱を行う場合も、正確な画像処理、例えば傷補正を行うことができ、かつ、フィルムアダプタの着脱による処理能力の低下も極力抑えることができる、つまり、シェーディング補正データの更新をＩＲのもののみとすることで、フィルムアダプタの装着時の各種条件の設定に必要な時間を短縮することができる。
【００４８】
また、フィルムＦの処理本数が所定本数、または、読取コマ数が所定コマ数となるたびにＩＲのシェーディング補正データのみを更新するようにしてもよい。
これにより、フィルムにより持ち込まれるゴミ、埃等の画像読取部、撮像手段、または光源部等への侵入によるシェーディングの変化を補正することができ、誤った傷補正を防止することができる。
【００４９】
または、本体２２にフィルムアダプタ２０を装着してからの所定時間経過するたびにＩＲのシェーディング補正データのみを更新するようにしてもよい。
これにより、時間経過に伴い変化する光源部の光出力の影響によるシェーディングの変化を補正することができ、誤った傷補正をすることを防止することができる。
【００５０】
または、フィルム検出手段により、フィルムＦの先頭を検出するたびにＩＲのシェーディング補正データのみを更新するようにしてもよい。
これにより、フィルムにより持ち込まれるゴミ、埃等の画像読取部、撮像手段、または光源部等への侵入によるシェーディングの変化を補正することができ、誤った傷補正をより確実に防止することができる。
【００５１】
ここで、処理特性条件は、特に限定されず、例えば、上記例を各種組み合わせた条件としてもよい。また、処理特性条件は、フィルムアダプタの種類、処理を行うフィルムの種類に応じて、各フィルムアダプタに応じて別々に設定してもよい。
【００５２】
また、処理能力の点から本実施形態のように、フィルムアダプタが本体に最初にセットされた場合のみ、Ｒ，Ｇ，Ｂ，ＩＲの全てのシェーディング補正データを設定し、その後は、ＩＲのシェーディング補正データのみを更新することが好ましいが、本発明はこれに限定されず、必要に応じて、Ｒ，Ｇ，Ｂ，ＩＲのシェーディング補正データを更新するようにしてもよい。
【００５３】
さらに、上記例では、処理特性条件に応じて、制御部により自動的にシェーディング補正データを設定または更新させたが、これに限定されず、処理特性条件を用いることなく、手動、例えば、オペレータの指示等により、４つ（Ｒ，Ｇ，Ｂ，ＩＲ）のシェーディング補正データの設定または更新と、１つ（ＩＲ）のシェーディング補正データの設定または更新のみとを選択して行うようにしてもよい。
【００５４】
前述のように、画像処置部８６により、正確なシェーディング補正等の各種画像処理が施されたＲ，Ｇ，Ｂ，ＩＲの各画像データは、ホストコンピュータ１４に出力される。
ホストコンピュータ１４は、ＩＲの画像データを用いて施す傷補正処理、およびデジタルプリントで施される各種の画像処理、例えば、画像の拡縮処理（電子変倍処理）、シャープネス（鮮鋭度強調）処理、濃度補正、色補正（彩度補正）、覆い焼き処理（画像濃度ダイナミックレンジの拡縮処理）、階調変更等の画像処理を施す。
ここで、本発明によれば、正確なＩＲの画像データに基づいて傷補正処理を行うことができ、誤った傷補正処理を行うことを防止できる。
さらに、ホストコンピュータ１４は、画像処理が施し、処理した画像データを、さらに、例えば、三次元（３Ｄ）−ＬＵＴ等を用いて変換し、プリンタ１６におけるプリント出力に対応する画像データとして、イーサネット（登録商標）１８を介して、プリンタ１６に出力する。
【００５５】
なお、プリントシステム１０においては、ホストコンピュータ１４で処理した画像データを各種の画像フォーマット、例えばＪＰＥＧのフォーマットの画像ファイルに変換して、画像ファイルとしてＣＤ−ＲやＭＤ（ミニディスク）等の記録媒体に出力してもよく、また、プリントと画像ファイルの両方を出力してもよい。
【００５６】
プリンタ１６は、公知のカラープリンタで、例えば、供給されたＲ、ＧおよびＢの画像データに応じて変調したレーザビームによって、印画紙を二次元的に走査露光して潜像を記録し、露光済の感光材料に、現像／定着／水洗の湿式現像処理を施して潜像を顕像化した後、乾燥して、プリントとして出力する。
【００５７】
図３は、制御部９０による制御方法の一例を示したフロー図である。
以下、図３を用いて、制御部９０による画像読取装置の制御方法の一例を説明する。
【００５８】
まず、ステップＳ１０として、フィルムアダプタ２０が本体２２に装着されているか否かを判定する。フィルムアダプタ２０が本体２２に装着されていないことが確認したら、ステップＳ１０で待機し（ステップＳ１０を繰り返し）、フィルムアダプタ２０が本体２２に装着されていることが確認したらステップＳ１２に進む。
【００５９】
フィルムアダプタ２０が本体２２に装着されていることが確認したら、制御部９０は、装着されたフィルムアダプタ２０の種別を認識（検出）する（ステップＳ１２）。
【００６０】
次に、処理特性条件に基づいて、シェーディング補正データの設定、または更新の要否を判断するための基準となるフィルム処理本数、コマ処理数および経過時間のカウントをリセット、つまり、初期値とする（ステップＳ１４）。
【００６１】
次に、装着されたフィルムアダプタ２０が、画像読取装置１２の電源をＯＮにしてから、本体２２に最初に装着されたものであるかを判定する。つまり、装着されたフィルムアダプタ２０の本体２２への装着回数が一回目であるか否かを判定する（ステップＳ１６）。フィルムアダプタ２０の装着回数が一回目であると判定した場合は、ステップＳ１８に進み、フィルムアダプタ２０の装着回数が一回目でない、つまり二回目以降であると判定した場合は、ステップＳ２２に進む。
【００６２】
フィルムアダプタ２０の装着回数が一回目であると判定した場合は、初期設定として、上述した方法で、Ｒ，Ｇ，Ｂ，ＩＲのシェーディング補正データを算出する（ステップＳ１８）。その後、算出したシェーディング補正データを記憶部８８に記憶させる、つまり、シェーディング補正データを設定する（ステップＳ２０）。その後、ステップＳ２６に進む。
【００６３】
また、フィルムアダプタ２０の装着回数が二回目以降であると判定した場合は、上述した方法で、ＩＲのシェーディング補正データのみを算出する（ステップＳ２２）。その後、記憶部８８に記憶されているＩＲのシェーディング補正データを、ステップＳ２２で算出したＩＲのシェーディング補正データに書き換える。つまりＩＲのシェーディング補正データを更新する（ステップＳ２４）。その後、ステップＳ２６に進む。
【００６４】
ステップＳ２６として、ＩＲシェーディング補正データ更新要請フラグ（以下、ＩＲ補正要請フラグとする）を０に設定する。
次に、フィルムアダプタ２０にフィルムが挿入されたかを判定する（ステップＳ２８）。フィルムがフィルムアダプタ２０に挿入されていないと判定した場合は、ステップＳ５２に進み、フィルムがフィルムアダプタ２０に挿入されたと判定した場合は、ステップＳ３２に進む。
【００６５】
ステップＳ３２としては、ＩＲ補正要請フラグが１であるか否かを判定する。ＩＲ補正要請フラグが１であると判定した場合は、ステップＳ３４に進み、ＩＲ補正要請フラグが０であると判定した場合は、ステップＳ４０に進む。
【００６６】
ステップＳ３４としては、上述した方法で、ＩＲのシェーディング補正データのみを算出する。その後、記憶部８８に記憶されているシェーディング補正データを、ステップＳ３４で算出したＩＲのシェーディング補正データに書き換える（ステップＳ３６）。その後、ＩＲ補正要請フラグを０に設定する（ステップＳ３８）。ＩＲ補正要請フラグを０に設定した後、ステップＳ４０に進む。
【００６７】
ステップＳ４０としては、上述した低解像度のプレスキャンでフィルムの各コマの画像データの読み取りを行う。
次に、プレスキャンで得られた画像データをホストコンピュータ１４に出力する。ホストコンピュータ１４は、出力されたプレスキャン画像データに基づいて、自動的に、または、オペレータがホストコンピュータに表示されたプレスキャン画像を見ながら各コマの検定を行い、読取条件および画像処理部８６およびホストコンピュータ１４における画像処理条件を決定する。ホストコンピュータ１４は、決定した読取条件および画像処理部８６における画像処理条件を制御部に送信する（ステップＳ４２）。
【００６８】
制御部９０は、フィルムＦをプレスキャンとは逆方向に、つまりフィルムＦの挿入部に戻る方向に、間歇的に搬送させ、ホストコンピュータ１４から送信された読取条件に基づいて、フィルムの各コマの画像データの読み取りを行う。つまり、上述した高解像度で行うファインスキャンで、フィルムの各コマの画像データの読み取りを行う（ステップＳ４４）。次に、読み取った各コマの画像データに所定の画像処理を施して、ホストコンピュータ１４に出力する（ステップＳ４６）。その後、ステップＳ４８に進む。
【００６９】
ステップ４８としては、フィルム処理本数、コマ処理数および経過時間がそれぞれ処理特性条件として設定されている所定値に達しているか否かを判定する。
フィルム処理本数、コマ処理数および経過時間の少なくとも一つが所定値に達していると判定した場合は、ステップＳ５０に進み、フィルム処理本数、コマ処理数および経過時間のいずれも所定値に達していないと判定した場合は、ステップＳ２８に進む。
【００７０】
ステップＳ５０としては、制御部９０がＩＲ補正要請フラグを１に設定する。その後、ステップＳ２８に進む。
その後、フィルムアダプタ２０に新たなフィルムが挿入されると、ステップＳ３２〜ステップＳ５０の工程を繰り返して行う。
また、ステップＳ２８において、フィルムがフィルムアダプタ２０に挿入されていないと判定した場合は、上述したようにステップＳ５２に進む。
【００７１】
ステップＳ５２としては、フィルムアダプタ２０が本体２２から取り外されたかを判定する。フィルムアダプタ２０が本体２２から取り外されていないと判定した場合は、ステップＳ２８に戻り、上述の制御を繰り返し、フィルムアダプタ２０が本体２２から取り外されたと判定した場合は、制御を終了する。
【００７２】
以上、本発明の画像読取装置について詳細に説明したが、本発明は上記実施例に限定はされず、本発明の要旨を逸脱しない範囲において、各種の改良および変更を行ってもよいのはもちろんである。
【００７３】
例えば、本実施形態では、シェーディング補正データに応じて、撮像手段により読み取った画像データを補正し、シェーディングの補正を行ったが、本発明はこれに限定されず、光源部の各光の複数配置されたＬＥＤの出力等を個別に調節し、光源部から射出される各光のシェーディング（照度むら）の補正を行う、つまり、照度むらの無いまたは抑制された光を射出させることでも、シェーディングのない画像データをホストコンピュータに出力することができる。
【００７４】
また、装置として大型化し、ＬＥＤに比べてシェーディングのずれも顕著ではないが、光源として、ハロゲンランプ等の白色光源を用いると共に、拡散板の上流にＲ，Ｇ，ＢおよびＩＲのフィルタ挿入手段を設けることにより、フィルムに撮影された画像を同様の４チャネルで読み取るものであってもよい。
【００７５】
また、本実施形態では、通信手段としてイーサネット（登録商標）を用いたが、種々の公知の通信手段（ネットワーク）を用いることができる。
【図面の簡単な説明】
【００７６】
【図１】本発明の画像読取装置の一例を示す概略構成図である。
【図２】図１に示した拡散板周辺を拡大した模式図である。
【図３】制御部による画像読取装置の制御方法の一例を示したフロー図である。
【符号の説明】
【００７７】
１０  画像記録装置
１２  画像読取装置（スキャナ）
１４  ホストコンピュータ
１６  プリンタ
１８  イーサネット
２０  フィルムアダプタ
２２  画像読取装置本体
３０  搬送手段
３２  拡散板
３４  フィルム検出手段
３６  コネクタ
３８  搬送ローラ対
４０，７６，８０  モータ
４２，７８，８２，８４  ドライバ
５０  光源部
５２  撮像手段
５４  制御手段
５６  インターフェース
５８  ＬＥＤ制御部
６０  結像レンズ
６２  シャッタ
６４  撮像素子
６６  撮像素子駆動部
６８  移動手段
７０  アンプ
７２  ＡＤＣ（Ａ／Ｄ変換器）
７４  ＣＤＳ処理部
８６  画像処理部
８８  記憶部
９０  制御部
Ｆ  透過原稿
【図１】
2006246199.tif 000003
【図２】
2006246199.tif 000004
【図３】
2006246199.tif 000005